(57)【要約】【課題】可視マークを簡単に画像に重畳することができる可視透かし埋め込み装置を得ることを目的とする。【解決手段】原画像の画像コードのうち、可視マークを埋め込むブロックの原画像コードをフレーム内符号化部５から出力された可視マーク付の局所復号画像コードに置換する画像コード置換部７を設け、画像コード整合部８が画像コード置換部７により置換されたブロックの画像コードである可視マーク付の局所復号画像コードと画像コード置換部７により置換されていないブロックの原画像コードとの間で整合を図る。【選択図】図１
2010118936.tif 000002
【特許請求の範囲】
【請求項１】
原画像の画像コードから可視透かしを埋め込むブロックの画像コードを抽出し、上記画像データを局所的に復号して局所復号画像を生成する局所復号手段と、上記局所復号手段により生成された局所復号画像に可視透かしを重畳し、可視透かし重畳後の局所復号画像をフレーム内ブロック符号化して、その符号化の結果である可視透かし付の局所復号画像コードを出力する符号化手段と、上記原画像の画像コードのうち、可視透かしを埋め込むブロックの画像コードを上記符号化手段から出力された可視透かし付の局所復号画像コードに置換する画像コード置換手段と、上記画像コード置換手段により置換されたブロックの画像コードである可視透かし付の局所復号画像コードと上記画像コード置換手段により置換されていないブロックの画像コードとの間で整合を図り、整合後の画像コードである可視透かし付の画像コードを出力する画像コード整合手段とを備えた可視透かし埋め込み装置。
【請求項２】
画像コード整合手段から出力された可視透かし付の画像コードに対して、可視透かしを埋め込むブロックにおける原画像の画像コード及び上記ブロックの位置を示す位置データを付加する復元用情報付加手段を設けたことを特徴とする請求項１記載の可視透かし埋め込み装置。
【請求項３】
原画像の画像コードから可視透かしを埋め込むブロックの画像コードを抽出し、上記画像データを局所的に復号して局所復号画像を生成する局所復号手段と、上記局所復号手段により生成された局所復号画像に可視透かしを重畳し、可視透かし重畳後の局所復号画像をフレーム内ブロック符号化して、その符号化の結果である可視透かし付の局所復号画像コードを出力するとともに、上記局所復号画像をフレーム内ブロック符号化して、その符号化の結果であるフレーム内再符号化局所復号画像コードを出力する符号化手段と、上記原画像の画像コードのうち、可視透かしを埋め込むブロックの画像コードを上記符号化手段から出力された可視透かし付の局所復号画像コードに置換するとともに、可視透かしを参照するブロックの画像コードを上記符号化手段から出力されたフレーム内再符号化局所復号画像コードに置換する画像コード置換手段と、上記画像コード置換手段により置換されたブロックの画像コードである可視透かし付の局所復号画像コード及びフレーム内再符号化局所復号画像コードと上記画像コード置換手段により置換されていないブロックの画像コードとの間で整合を図り、整合後の画像コードである可視透かし付の画像コードを出力する画像コード整合手段とを備えた可視透かし埋め込み装置。
【請求項４】
画像コード整合手段から出力された可視透かし付の画像コードに対して、可視透かしを埋め込むブロックにおける原画像の画像コード及び上記ブロックの位置を示す位置データを付加するとともに、可視透かしを参照するブロックにおける原画像の画像コード及び上記ブロックの位置を示す位置データを付加する復元用情報付加手段を設けたことを特徴とする請求項３記載の可視透かし埋め込み装置。
【請求項５】
画像コード置換手段は、符号化手段から出力された可視透かし付の局所復号画像コード及びフレーム内再符号化局所復号画像コードを保持し、可視透かしを表示させる際に、可視透かしを埋め込むブロックの画像コードを上記可視透かし付の局所復号画像コードに置換するとともに、可視透かしを参照するブロックの画像コードを上記フレーム内再符号化局所復号画像コードに置換することを特徴とする請求項３または請求項４記載の可視透かし埋め込み装置。
【請求項６】
複数の可視透かしを埋め込む場合、符号化手段が可視透かし付の局所復号画像コードを生成する際、可視透かし毎に、表示又は非表示を指示する制御情報を上記可視透かし付の局所復号画像コードに付加することを特徴とする請求項１から請求項５のうちのいずれか１項記載の可視透かし埋め込み装置。
【請求項７】
画像コード整合手段は、原画像がＪＰＥＧ画像である場合、ブロックのＤＣ係数の整合を図ることを特徴とする請求項１または請求項２記載の可視透かし埋め込み装置。
【請求項８】
画像コード整合手段は、原画像がＭＰＥＧ画像である場合、マクロブロックアドレス、イントラマクロブロックのＤＣ成分、動きベクトル又は量子化ステップサイズの整合を図ることを特徴とする請求項３から請求項５のうちのいずれか１項記載の可視透かし埋め込み装置。
【請求項９】
可視透かしを埋め込むブロックにおける原画像の画像コード及び上記ブロックの位置を示す位置データが付加されている可視透かし付の画像コードを入力すると、上記原画像の画像コード及び上記位置データを検出する検出手段と、上記可視透かし付の画像コードのうち、上記検出手段により検出された位置データが示すブロックの画像コードを上記原画像の画像コードに置換する画像コード再置換手段と、上記画像コード再置換手段により置換されたブロックの画像コードである原画像の画像コードと上記画像コード再置換手段により置換されていないブロックの画像コードとの間で整合を図り、整合後の画像コードである復元原画像コードを出力する画像コード再整合手段とを備えた画像復元装置。
【請求項１０】
可視透かしを埋め込むブロック及び可視透かしを参照するブロックにおける原画像の画像コードと上記ブロックの位置を示す位置データが付加されている可視透かし付の画像コードを入力すると、上記原画像の画像コード及び上記位置データを検出する検出手段と、上記可視透かし付の画像コードのうち、上記検出手段により検出された位置データが示す可視透かしを埋め込むブロック及び可視透かしを参照するブロックの画像コードを上記原画像の画像コードに置換する画像コード再置換手段と、上記画像コード再置換手段により置換されたブロックの画像コードである原画像の画像コードと上記画像コード再置換手段により置換されていないブロックの画像コードとの間で整合を図り、整合後の画像コードである復元原画像コードを出力する画像コード再整合手段とを備えた画像復元装置。
【請求項１１】
整合後の画像コードである復元原画像コードに表示又は非表示を指示する制御情報が付加されている場合、上記制御情報にしたがって複数の可視透かしの表示を制御する表示手段を設けたことを特徴とする請求項９または請求項１０記載の画像復元装置。
【発明の詳細な説明】
【技術分野】
【０００１】
この発明は、静止画や動画に対して、可視透かし（例えば、ロゴ、マーク、文字などの可視マーク）を埋め込む可視透かし埋め込み装置と、可視透かしが埋め込まれている画像を元の原画像に復元する画像復元装置とに関するものである。
【背景技術】
【０００２】
例えば、以下の特許文献１には、可視透かしの埋め込みと可視透かしの除去を実現する動画像処理装置（可視透かし埋め込み装置＋画像復元装置）が開示されている。図２０は特許文献１に開示されている動画像処理装置を示す構成図である。
【０００３】
可視透かしの埋め込みを行う場合、画像取得部１０１が原画像を入力すると、ＤＣＴ／逆ＤＣＴ演算部１０２が原画像の画像データをＤＣＴ変換してＤＣＴ係数を演算する。
そして、透かし埋め込み／除去演算部１０３がＤＣＴ／逆ＤＣＴ演算部１０２により演算されたＤＣＴ係数に対して可視透かしの埋め込みを実施し、量子化／逆量子化演算部１０４が、可視透かしが埋め込まれているＤＣＴ係数を量子化して、量子化後ＤＣＴ係数を出力する。
【０００４】
動画データ入出力部１０５は、量子化／逆量子化演算部１０４から量子化後ＤＣＴ係数を受けると、その量子化後ＤＣＴ係数をハフマン符号化してＭＰＥＧ可視画像コードを生成する。
なお、動画データ入出力部１０５は、量子化後ＤＣＴ係数をハフマン符号化してＭＰＥＧ可視画像コードを生成する際、可視マークを表示させるブロックについては、可視マークと原画像の差分を符号化して加算し、可視マークを参照するブロックについては、可視マークを打ち消すために、可視マークと原画像の差分を符号化して減算するようにしている。
【０００５】
可視透かしの除去を行う場合、動画データ入出力部１０５がＭＰＥＧ可視画像コードを入力すると、そのＭＰＥＧ可視画像コードをハフマン復号して、量子化後ＤＣＴ係数を出力する。
そして、量子化／逆量子化演算部１０４が動画データ入出力部１０５から出力された量子化後ＤＣＴ係数を逆量子化して、ＤＣＴ係数を出力し、透かし埋め込み／除去演算部１０３が量子化／逆量子化演算部１０４から出力されたＤＣＴ係数に埋め込まれている可視透かしを除去する。
ＤＣＴ／逆ＤＣＴ演算部１０２は、透かし埋め込み／除去演算部１０３から可視透かしが除去されたＤＣＴ係数を受けると、そのＤＣＴ係数を逆ＤＣＴ変換して原画像を復元し、その原画像を画像出力部１０６に出力する。
【０００６】
【特許文献１】特開２００４−３３６５２９号公報（図２）
【発明の開示】
【発明が解決しようとする課題】
【０００７】
従来の可視透かし埋め込み装置は以上のように構成されているので、フレーム間符号化を実施することで、ＭＰＥＧ可視画像コードが生成されるが、フレーム間符号化を実施するに際して、例えば、動き補償処理や、動き補償の有無に応じてマクロブロックタイプを選択する処理など、複雑な処理を実施する必要があり、可視透かしを簡単に画像に重畳することが困難であるなどの課題があった。
【０００８】
この発明は上記のような課題を解決するためになされたもので、可視透かしを簡単に画像に重畳することができる可視透かし埋め込み装置を得ることを目的とする。
また、この発明は、可視透かしが重畳されている画像を簡単に元の原画像に復元することができる画像復元装置を得ることを目的とする。
【課題を解決するための手段】
【０００９】
この発明に係る可視透かし埋め込み装置は、可視透かしを埋め込むブロックの局所復号画像に可視透かしを重畳し、可視透かし重畳後の局所復号画像をフレーム内ブロック符号化して、その符号化の結果である可視透かし付の局所復号画像コードを出力する符号化手段と、原画像の画像コードのうち、可視透かしを埋め込むブロックの画像コードを符号化手段から出力された可視透かし付の局所復号画像コードに置換する画像コード置換手段とを設け、画像コード整合手段が画像コード置換手段により置換されたブロックの画像コードである可視透かし付の局所復号画像コードと画像コード置換手段により置換されていないブロックの画像コードとの間で整合を図り、整合後の画像コードである可視透かし付の画像コードを出力するようにしたものである。
【発明の効果】
【００１０】
この発明によれば、可視透かしを埋め込むブロックの局所復号画像に可視透かしを重畳し、可視透かし重畳後の局所復号画像をフレーム内ブロック符号化して、その符号化の結果である可視透かし付の局所復号画像コードを出力する符号化手段と、原画像の画像コードのうち、可視透かしを埋め込むブロックの画像コードを符号化手段から出力された可視透かし付の局所復号画像コードに置換する画像コード置換手段とを設け、画像コード整合手段が画像コード置換手段により置換されたブロックの画像コードである可視透かし付の局所復号画像コードと画像コード置換手段により置換されていないブロックの画像コードとの間で整合を図り、整合後の画像コードである可視透かし付の画像コードを出力するように構成したので、可視透かしを簡単に画像に重畳することができる効果がある。
【発明を実施するための最良の形態】
【００１１】
実施の形態１．
図１はこの発明の実施の形態１による可視透かし埋め込み装置を示す構成図である。
図１において、原画像コードフレームメモリ１は外部から原画像の画像コード（以下、「原画像コード」と称する）を取り込んで格納するメモリである。
画像コード抽出部２は原画像コードフレームメモリ１に格納されている原画像コードから可視マーク（可視透かし）を埋め込むブロックの画像コード（以下、「局所原画像コード」と称する）を抽出し、そのブロックの位置を示す位置データと局所原画像コードを出力する処理を実施する。
局所復号器３は画像コード抽出部２から出力された局所原画像コードを局所的に復号して局所復号画像を生成し、その局所復号画像と位置データを出力する処理を実施する。
なお、画像コード抽出部２及び局所復号器３から局所復号手段が構成されている。
【００１２】
重畳器４は局所復号器３から出力された局所復号画像に可視マークを重畳して重畳画像を生成し、その重畳画像と位置データを出力する処理を実施する。
フレーム内符号化部５は重畳器４から出力された重畳画像と位置データをフレーム内ブロック符号化して、その符号化の結果である可視マーク付の局所復号画像コードを出力する処理を実施する。
なお、重畳器４及びフレーム内符号化部５から符号化手段が構成されている。
【００１３】
局所復号画像コードフレームメモリ６はフレーム内符号化部５から出力された可視マーク付の局所復号画像コードを格納するメモリである。
画像コード置換部７は原画像コードフレームメモリ１に格納されている原画像コードのうち、可視マークを埋め込むブロックの原画像コードを局所復号画像コードフレームメモリ６に格納されている可視マーク付の局所復号画像コードに置換する処理を実施する。なお、画像コード置換部７は画像コード置換手段を構成している。
【００１４】
画像コード整合部８は画像コード置換部７により置換されたブロックの画像コードである可視マーク付の局所復号画像コードと画像コード置換部７により置換されていないブロックの原画像コードとの間で整合を図り、整合後の画像コードである可視マーク付の画像コードを出力するとともに、局所原画像コード及び位置データを復元用局所原画像コードとして出力する処理を実施する。なお、画像コード整合部８は画像コード整合手段を構成している。
【００１５】
可視マーク付き画像コードフレームメモリ９は画像コード整合部８から出力された可視マーク付の画像コードを格納するメモリである。
復元用局所原画像コードフレームメモリ１０は画像コード整合部８から出力された復元用局所原画像コードを格納するメモリである。
復元用情報付加部１１は可視マーク付き画像コードフレームメモリ９に格納されている可視マーク付の画像コードに対して、復元用局所原画像コードフレームメモリ１０に格納されている復元用局所原画像コードを付加する処理を実施する。なお、復元用情報付加部１１は復元用情報付加手段を構成している。
【００１６】
次に動作について説明する。
原画像コードフレームメモリ１は、例えば、外部から原画像コードを１フレーム単位で取り込んで格納する。
画像コード抽出部２は、原画像コードフレームメモリ１に格納されている原画像コードを読み込み、その原画像コードから可視マークを埋め込むブロックの画像コードである局所原画像コードを抽出し、そのブロックの位置を示す位置データと局所原画像コードを局所復号器３に出力する。
ここでは、説明の便宜上、可視マークを埋め込むブロックについては予め設定されているものとする。このとき、可視マークを埋め込むブロックをユーザが適宜変更できるようにしてもよい。
図２は可視マークを埋め込むブロックを示す説明図であり、図２では、１７個のブロックに可視マークを埋め込む例を示している。
【００１７】
局所復号器３は、画像コード抽出部２から局所原画像コードを受けると、その局所原画像コードを局所的に復号して局所復号画像を生成し、その局所復号画像を重畳器４に出力する。
また、局所復号器３は、画像コード抽出部２から出力された位置データについても、重畳器４に出力する。
【００１８】
重畳器４は、局所復号器３から局所復号画像を受けると、その局所復号画像に対して、外部から与えられる可視マークを重畳して重畳画像（可視マークが重畳されている局所復号画像）を生成し、その重畳画像をフレーム内符号化部５に出力する。
また、重畳器４は、局所復号器３から出力された位置データについても、フレーム内符号化部５に出力する。
【００１９】
フレーム内符号化部５は、重畳器４から重畳画像と位置データを受けると、その重畳画像と位置データをフレーム内ブロック符号化して、その符号化の結果である可視マーク付の局所復号画像コードを局所復号画像コードフレームメモリ６に格納する。
ここで、図３はフレーム内符号化部５から出力される可視マーク付の局所復号画像コードのデータ形式の一例を示す説明図である。
図３では、可視マークの垂直開始ブロック位置（図２の例では、“２”）、垂直終了ブロック位置（図２の例では、“５”）の後に、各垂直ブロック位置（図２の例では、“２”〜“５”）の水平開始ブロック位置（例えば、垂直ブロック位置“２”の垂直ブロックラインＢＬ１では、“４”）、水平終了ブロック位置（例えば、垂直ブロック位置“２”の垂直ブロックラインＢＬ１では、“６”）、局所可視マークコード（可変長）から構成されている。
なお、図３の例では、データのアクセスを容易にするために、全体のデータサイズと、各垂直ブロックラインのデータサイズについても付加している。
【００２０】
画像コード置換部７は、画像コード抽出部２により読み込まれた原画像コードのうち、可視マークを埋め込むブロックの画像コードである局所原画像コードを局所復号画像コードフレームメモリ６に格納されている可視マーク付の局所復号画像コードに置換する。
ここで、図４は画像コードの置換処理を示す説明図である。
図４では、垂直ブロック位置が“３”の垂直ブロックラインＢＬ２における画像コードの置換例を示している。
図４の例では、垂直ブロックラインＢＬ２のブロックＢ１，Ｂ２，・・・，Ｂ９・・・のうち、ブロックＢ３，Ｂ４，・・・，Ｂ７が画像コード置換対象のブロックであり、ブロックＢ３，Ｂ４，・・・，Ｂ７の局所原画像コードを可視マーク付の局所復号画像コードに置換している。
なお、置換後のブロックをＢ３ａ，Ｂ４ａ，・・・，Ｂ７ａで表している。
【００２１】
画像コード整合部８は、画像コード置換部７が画像コードの置換処理を実施すると、画像コードが置換されたブロックの周辺ブロックにおいて、不整合が生じないようにするために、画像コード置換部７により置換されたブロックの画像コードである可視マーク付の局所復号画像コードと、画像コード置換部７により置換されていないブロックの原画像コードとの間で、整合処理を実施する。
図４の例では、ブロックＢ３がブロックＢ２までの符号化のデータを予測として用いているので、置換後のブロックＢ３ａの可視マーク付の局所復号画像コードをブロックＢ２の原画像コードに基づいて整合を図っている。
また、ブロックＢ８がブロックＢ７までの符号化のデータを予測として用いているので、ブロックＢ８の原画像コードを置換後のブロックＢ７ａの可視マーク付の局所復号画像コードに基づいて整合を図っている。
【００２２】
以下、画像コード整合部８による画像コードの整合方法を具体的に説明する。
図５は画像コードの整合方法を示す説明図である。
図５では、原画像がＪＰＥＧ画像であり、ブロックのＤＣ係数の整合を図る例を示している。
原画像がＪＰＥＧ画像である場合、８×８画素のブロックＢ１〜Ｂ９の原画像コードは、画素値が２次元ＤＣＴされて量子化された８×８＝６４の係数であって、この係数がコード化されたものである。特に、ＤＣ成分の係数は、当該ブロックのＤＣ成分から前ブロックのＤＣ成分が減算された差分値がコード化されたものである。
例えば、先頭のブロックＢ１の原画像コードであるΔＤＣ１は、前ブロックが存在しないので、ブロックＢ１のＤＣ成分であるＤＣ１と一致する。
また、ブロックＢ２の原画像コードであるΔＤＣ２は、ブロックＢ２のＤＣ成分であるＤＣ２と、１つ前のブロックＢ１のＤＣ成分であるＤＣ１との差分値となるので、ＤＣ２−ＤＣ１となる。
即ち、ブロックＢｎ（ｎ＝２，３，・・・，９）の原画像コードであるΔＤＣｎは、ブロックＢｎのＤＣ成分であるＤＣｎと、１つ前のブロックＢｎ−１のＤＣ成分であるＤＣｎ−１との差分値となるので、ＤＣｎ−ＤＣｎ−１となる。
【００２３】
フレーム内符号化部５の符号化結果であるブロックＢ３〜Ｂ７の可視マーク付の局所復号画像コードのうち、先頭のブロックＢ３の局所復号画像コードであるΔＤＣ３ａは、可視マークを含む前のブロックが存在しないので、ブロックＢ３のＤＣ成分であるＤＣ３ａ（可視マークを含む）と一致する。
また、ブロックＢ４の局所復号画像コードであるΔＤＣ４ａは、ブロックＢ４のＤＣ成分であるＤＣ４ａ（可視マークを含む）と、１つ前のブロックＢ３のＤＣ成分であるＤＣ３（可視マークを含む）との差分値となるので、ＤＣ４ａ−ＤＣ３ａとなる。
即ち、ブロックＢｎ（ｎ＝４，５，，６，７）の原画像コードであるΔＤＣｎは、ブロックＢｎのＤＣ成分であるＤＣｎａ（可視マークを含む）と、１つ前のブロックＢｎ−１のＤＣ成分であるＤＣｎ−１ａ（可視マークを含む）との差分値となるので、ＤＣｎａ−ＤＣｎ−１ａとなる。
【００２４】
したがって、画像コード置換部７が、ブロックＢ３〜Ｂ７の原画像コードΔＤＣ３〜ΔＤＣ７をフレーム内符号化部５から出力されたブロックＢ３〜Ｂ７の局所復号画像コードΔＤＣ３ａ〜ΔＤＣ７ａに置換すると、ブロックＢ１〜Ｂ９の画像コードである可視マーク付の画像コードの並びは下記のようになる。
ΔＤＣ１→ΔＤＣ２→ΔＤＣ３ａ→ΔＤＣ４ａ→ΔＤＣ５ａ→ΔＤＣ６ａ→ΔＤＣ７ａ→ΔＤＣ８→ΔＤＣ９
このとき、ΔＤＣ３ａ＝ＤＣ３ａであり、１つ前のブロックＢ２との差分となっておらず、不整合が生じるので、１つ前のブロックＢ２の原画像コードΔＤＣ２を減算することで、置換後のブロックＢ３ａの整合を図る。
整合後のΔＤＣ３ａ＝ＤＣ３ａ−ＤＣ２
【００２５】
また、ブロックＢ８の原画像コードΔＤＣ８については、画像コード置換部７によって置換されていないが、ブロックＢ７までの符号化のデータを予測として用いており、１つの前のブロックＢ７の原画像コードΔＤＣ７が局所復号画像コードΔＤＣ７ａに置換されているので、下記のように整合を図る。
整合前のブロックＢ８のΔＤＣ８＝ＤＣ８−ＤＣ７
整合後のブロックＢ８のΔＤＣ８＝ＤＣ８−ＤＣ７ａ
その他のブロックの画像コードについては、前のブロックとの差分値となっており、整合が取れている。
【００２６】
画像コード整合部８は、画像コードの整合処理が完了すると、整合後の画像コードである可視マーク付の画像コードを可視マーク付き画像コードフレームメモリ９に格納し、ブロックＢ３〜Ｂ７の原画像コードΔＤＣ３〜ΔＤＣ７及びブロックＢ３〜Ｂ７の位置を示す位置データを復元用局所原画像コードとして復元用局所原画像コードフレームメモリ１０に格納する。
【００２７】
復元用情報付加部１１は、後述する画像復元装置が原画像を復元することができるようにするために、可視マーク付き画像コードフレームメモリ９に格納されている可視マーク付の画像コードに対して、復元用局所原画像コードフレームメモリ１０に格納されている復元用局所原画像コードを付加する。
即ち、復元用情報付加部１１は、可視マーク付の画像コードのヘッダに復元用局所原画像コードを含めるようにする。あるいは、復元用局所原画像コードを電子透かしとして、可視マーク付の画像コードに埋め込むようにする。
ここで、図６は復元用局所原画像コードのデータ形式の一例を示す説明図である。
復元用局所原画像コードのデータ形式は、図３の可視マーク付の局所復号画像コードのデータ形式と同様であり、図３の局所可視マークコード（可変長）が、復元用局所原画像コード（可変長）に置き換わっている。
復元用局所原画像コードが付加された可視マーク付の画像コードは、原画像に復元可能な可視マーク付の画像コードとして、後述する画像復元装置に出力される。
【００２８】
以上で明らかなように、この実施の形態１によれば、可視マークを埋め込むブロックの局所復号画像に可視マークを重畳し、可視マーク重畳後の局所復号画像をフレーム内ブロック符号化して、その符号化の結果である可視マーク付の局所復号画像コードを出力するフレーム内符号化部５と、原画像の画像コードのうち、可視マークを埋め込むブロックの原画像コードをフレーム内符号化部５から出力された可視マーク付の局所復号画像コードに置換する画像コード置換部７とを設け、画像コード整合部８が画像コード置換部７により置換されたブロックの画像コードである可視マーク付の局所復号画像コードと画像コード置換部７により置換されていないブロックの原画像コードとの間で整合を図り、整合後の画像コードである可視マーク付の画像コードを出力するように構成したので、従来例のように、例えば、動き補償処理などの複雑な処理を実施することなく、可視マークを簡単に画像に重畳することができる効果を奏する。
【００２９】
実施の形態２．
図７はこの発明の実施の形態２による画像復元装置を示す構成図である。
図７において、復元用情報検出部５１は原画像に復元可能な可視マーク付の画像コードを入力すると、その可視マーク付の画像コードに付加されている復元用局所原画像コードを検出する処理を実施する。なお、復元用情報検出部５１は検出手段を構成している。
可視マーク付き画像コードフレームメモリ５２は可視マーク付の画像コードを格納するメモリである。
復元用局所原画像コードフレームメモリ５３は復元用情報検出部５１により検出された復元用局所原画像コードを格納するメモリである。
【００３０】
画像コード再置換部５４は可視マーク付き画像コードフレームメモリ５２に格納されている可視マーク付の画像コードのうち、復元用局所原画像コードフレームメモリ５３に格納されている復元用局所原画像コードに含まれている位置データが示すブロックＢ３ａ〜Ｂ７ａの可視マーク付の局所復号画像コードΔＤＣ３ａ〜ΔＤＣ７ａを、その復元用局所原画像コードに含まれている原画像コードΔＤＣ３〜ΔＤＣ７に置換する処理を実施する。なお、画像コード再置換部５４は画像コード再置換手段を構成している。
【００３１】
画像コード再整合部５５は画像コード再置換部５４により置換されたブロックの画像コードである原画像コードと画像コード再置換部５４により置換されていないブロックの原画像コードとの間で整合を図り、整合後の画像コードである復元原画像コードを出力する処理を実施する。なお、画像コード再整合部５５は画像コード再整合手段を構成する。
画像表示部５６は画像コード再整合部５５から出力された復元原画像コードにしたがって原画像を表示し、あるいは、可視マーク付の画像コードにしたがって可視マークが重畳されている画像を表示する処理を実施する。
【００３２】
次に動作について説明する。
復元用情報検出部５１は、図１の可視透かし埋め込み装置から出力された原画像に復元可能な可視マーク付の画像コードを入力すると、その可視マーク付の画像コードに付加されている復元用局所原画像コードを検出して、その復元用局所原画像コードを復元用局所原画像コードフレームメモリ５３に格納する。
また、復元用情報検出部５１は、可視マーク付の画像コード（図１の画像整合部８から出力される可視マーク付の画像コードに相当）を可視マーク付き画像コードフレームメモリ５２に格納する。
【００３３】
画像コード再置換部５４は、可視マーク付き画像コードフレームメモリ５２に格納されている可視マーク付の画像コードのうち、復元用局所原画像コードフレームメモリ５３に格納されている復元用局所原画像コードに含まれている位置データが示すブロックＢ３ａ〜Ｂ７ａの可視マーク付の局所復号画像コードΔＤＣ３ａ〜ΔＤＣ７ａを、その復元用局所原画像コードに含まれている原画像コードΔＤＣ３〜ΔＤＣ７に置換する。
ここで、図８は画像コードの置換処理を示す説明図である。
図８では、垂直ブロック位置が“３”の垂直ブロックラインＢＬ２における画像コードの置換例を示している。
図８の例では、垂直ブロックラインＢＬ２のブロックＢ１，Ｂ２，Ｂ３ａ，・・・，Ｂ９・・・のうち、ブロックＢ３ａ，Ｂ４ａ，・・・，Ｂ７ａが画像コード置換対象のブロックであり、ブロックＢ３ａ，Ｂ４ａ，・・・，Ｂ７ａの可視マーク付の局所復号画像コードΔＤＣ３ａ〜ΔＤＣ７ａを原画像コードΔＤＣ３〜ΔＤＣ７に置換している。
【００３４】
画像コード再整合部５５は、画像コード再置換部５４が画像コードの置換処理を実施すると、画像コードが置換されたブロックの周辺ブロックにおいて、不整合が生じないようにするために、画像コード再置換部５４により置換されたブロックの画像コードである原画像コードと、画像コード再置換部５４により置換されていないブロックの原画像コードとの間で、整合処理を実施する。
図１の画像コード整合部８では、ブロックＢ３ａの画像コードの整合を図っているが、図８の例では、置換後のブロックＢ３の原画像コードΔＤＣ３は、元のブロックＢ３の原画像コードΔＤＣ３と同じであり、１つ前のブロックＢ２の原画像コードΔＤＣ２と整合が取れているので、整合処理を実施する必要がない。
ただし、ブロックＢ８の画像コードΔＤＣ８が、図１の画像コード整合部８によって、整合処理が行われて、画像コードΔＤＣ８ａに変更されているので、元のブロックＢ８の原画像コードΔＤＣ８（＝ＤＣ８−ＤＣ７）に戻す再整合処理を行う。
【００３５】
画像表示部５６は、画像コード再整合部５５から復元原画像コードを受けると、その復元原画像コードにしたがって原画像を表示する。
なお、画像表示部５６は、可視マーク付の画像コードを入力すれば、その可視マーク付の画像コードにしたがって可視マークが重畳されている画像を表示することもできる。
【００３６】
以上で明らかなように、この実施の形態２によれば、可視透かし付の画像コードのうち、復元用情報検出部５１により検出された復元用局所原画像コードに含まれている位置データが示すブロックＢ３ａ〜Ｂ７ａの可視マーク付の局所復号画像コードΔＤＣ３ａ〜ΔＤＣ７ａを、その復元用局所原画像コードに含まれている原画像コードΔＤＣ３〜ΔＤＣ７に置換する画像コード再置換部５４を設け、画像コード再整合部５５が画像コード再置換部５４により置換されたブロックの画像コードである原画像コードと画像コード再置換部５４により置換されていないブロックの原画像コードとの間で整合を図り、整合後の画像コードである復元原画像コードを出力するように構成したので、例えば、動き補償処理などの複雑な処理を実施することなく、可視マークが重畳されている画像を簡単に元の原画像に復元することができる効果を奏する。
【００３７】
実施の形態３．
図９はこの発明の実施の形態１による可視透かし埋め込み装置を示す構成図であり、図において、図１と同一符号は同一又は相当部分を示すので説明を省略する。
フレーム内符号化部２１は重畳器４から出力された重畳画像と位置データをフレーム内ブロック符号化して、その符号化の結果である可視マーク付の局所復号画像コードを出力するとともに、局所復号器３から出力された局所復号画像と位置データをフレーム内ブロック符号化して、その符号化の結果であるフレーム内再符号化局所復号画像コードを出力する処理を実施する。
なお、重畳器４及びフレーム内符号化部２１から符号化手段が構成されている。
【００３８】
画像コード置換部２２は原画像コードフレームメモリ１に格納されている原画像コードのうち、可視マークを埋め込むブロックの原画像コードを局所復号画像コードフレームメモリ６に格納されている可視マーク付の局所復号画像コードに置換するとともに、可視透かしを参照するブロックの画像コードを局所復号画像コードフレームメモリ６に格納されているフレーム内再符号化局所復号画像コードに置換する処理を実施する。なお、画像コード置換部２２は画像コード置換手段を構成している。
【００３９】
画像コード整合部２３は画像コード置換部２２により置換されたブロックの画像コードである可視マーク付の局所復号画像コード及びフレーム内再符号化局所復号画像コードと画像コード置換部２２により置換されていないブロックの原画像コードとの間で整合を図り、整合後の画像コードである可視マーク付の画像コードを出力するとともに、局所原画像コード及び位置データを復元用局所原画像コードとして出力する処理を実施する。なお、画像コード整合部２３は画像コード整合手段を構成している。
【００４０】
次に動作について説明する。
この実施の形態３は、フレーム間符号化画像に可視マークを埋め込む方式の一例を示すものである。
フレーム間符号化の方式では、符号化するブロックが前に符号化した画像を参照する場合、その動きベクトルと、その差分値だけを符号化することで圧縮し、再生するときに参照した画像に、その差分値を加算することで復号画像を得るものである。
したがって、原画像コードが埋め込む可視マークを参照している場合、実際に、可視マークを埋め込んだときに、その可視マークを参照して差分値を加算しても、復号画像が得られない。
このため、この実施の形態３では、埋め込む可視マークを参照するブロックについては、フレーム内符号化で再符号化して原画像コードと置換するようにしている。
【００４１】
フレーム内符号化部２１は、重畳器４から出力された重畳画像と位置データを受けると、図１のフレーム内符号化部５と同様に、その重畳画像と位置データをフレーム内ブロック符号化して、その符号化の結果である可視マーク付の局所復号画像コードを局所復号画像コードフレームメモリ６に格納する。
また、フレーム内符号化部２１は、局所復号器３から出力された局所復号画像と位置データをフレーム内ブロック符号化して、その符号化の結果であるフレーム内再符号化局所復号画像コードを局所復号画像コードフレームメモリ６に格納する。
【００４２】
画像コード置換部２２は、フレーム内符号化部２１が符号化処理を実施すると、図１の画像コード置換部７と同様に、画像コード抽出部２により読み込まれた原画像コードのうち、可視マークを埋め込むブロックの画像コードである局所原画像コードを局所復号画像コードフレームメモリ６に格納されている可視マーク付の局所復号画像コードに置換する。
また、画像コード置換部２２は、画像コード抽出部２により読み込まれた原画像コードのうち、可視透かしを参照するブロックの画像コードを局所復号画像コードフレームメモリ６に格納されているフレーム内再符号化局所復号画像コードに置換する。
【００４３】
ここで、図１０はこの発明の実施の形態３による可視電子透かし方式の実現方法を示す説明図である。
ＭＰＥＧのフレーム間予測符号化では、フレーム内予測符号化を行うＩピクチャと、前方向からのフレーム間予測符号化を行うＰピクチャと、前後のＩ／Ｐピクチャからフレーム間予測符号化を行うＢピクチャがある。
Ｉピクチャでは、可視マークを表示する領域Ａ（斜線部）にあるブロックを置換する。
Ｐピクチャでは、可視マークを表示する領域Ａ（斜線部）にあるブロックを置換するとともに、前方のＩピクチャの可視マークを参照するブロック（縦線部）の原画像をフレーム内符号化したブロックに置換する。
Ｂピクチャでは、可視マークを表示する領域Ａ（斜線部）にあるブロックを置換するとともに、前方のＩピクチャと後方のＰピクチャの可視マークを参照するブロック（縦線部）の原画像をフレーム内符号化したブロックに置換する。
【００４４】
図１１はこの発明の実施の形態３による可視電子透かし方式で置換するブロックを示す説明図である。
Ｉピクチャでは、斜線部の可視マークを含む太線部分のブロックＡを置換する。
Ｐピクチャでは、斜線部の可視マークを含む太線部分のブロックＡを置換するとともに、前方のＩピクチャの可視マークを参照する太線部分のブロックＢの原画像をフレーム内符号化したブロックに置換する。ＢピクチャはＰピクチャと同様である。
ただし、可視マーク自体の画素を参照しないが、可視マーク含むブロックを参照するブロックは、置換してもしなくてもよい。
【００４５】
画像コード整合部２３は、画像コード置換部２２が画像コードの置換処理を実施すると、画像コードが置換されたブロックの周辺ブロックにおいて、不整合が生じないようにするために、画像コード置換部２２により置換されたブロックの画像コードである可視マーク付の局所復号画像コード及びフレーム内再符号化局所復号画像コードと画像コード置換部２２により置換されていないブロックの原画像コードとの間で、整合処理を実施する。
【００４６】
以下、画像コード整合部２３による画像コードの整合方法を具体的に説明する。
図１２は画像コードの整合方法を示す説明図である。
図１２では、原画像がＭＰＥＧ画像であり、マクロブロックアドレスの整合を図る例を示している。
ＭＰＥＧでは、８×８のブロックをまとめたＭＢ（マクロブロック）の単位で置換を行う。
図中、ＭＢＡ（マクロブロックアドレス）は、左端又は前の有効ＭＢからの何番目のＭＢであるかを示す数値（無効ＭＢの個数＋１）であり、原画像コードを置換するＭＢの最初及び最後に無効ＭＢがある場合に、整合処理が必要である。
ここで、ＭＢＡでスキップされる符号の無い無効マクロブロックタイプは、Ｐ−ｐｉｃｔｕｒｅでは、Ｎｏｎ ＭＣ（単純フレーム間予測）で、Ｎｏｔ Ｃｏｄｅｄ（ＤＣＴ係数のコードをもたないマクロブロック）タイプ、Ｂ−ｐｉｃｔｕｒｅでは、ひとつ前のマクロブロックと予測方向（順、逆、内挿）が同じで、動ベクトルが同じで、Ｎｏｔ Ｃｏｄｅｄのマクロブロックである。
【００４７】
原画像において、第２ＭＢ、第３ＭＢ、第４ＭＢ、第７ＭＢ、第８ＭＢ、第９ＭＢが無効ＭＢである場合、第５ＭＢ及び第１０ＭＢのＭＢＡは、下記のようになる。
第５ＭＢのＭＢＡ  ＝５−１＝４
第１０ＭＢのＭＢＡ＝１０−６＝４
しかし、置換後に第４ＭＢから第７ＭＢまでをイントラＭＢにするため、第４ＭＢ及び第１０ＭＢのＭＢＡは、下記のようになる。
第４ＭＢのＭＢＡ  ＝４−１＝３
第１０ＭＢのＭＢＡ＝１０−７＝３
第４ＭＢのＭＢＡは、置換時に整合させるが、第１０ＭＢのＭＢＡは、置換するブロックではないので、置換後に整合処理を行う。第１１ＭＢ以降は、整合しているので、整合処理は行わない。
ＭＢＡと同様に、３３ＭＢスキップするコードとしてＭＢＥ（マクロブロックエスケープ）があるが、無効ＭＢが３３以上の場合は、適宜ＭＢＥを使用する。
【００４８】
図１３は画像コードの整合方法を示す説明図である。
図１３では、原画像がＭＰＥＧ画像であり、ＭＰＥＧのイントラマクロブロック（ＩＮＴＲＡ  ＭＢ）のＤＣ成分の整合を図る例を示している。
原画像コードを置換する部分の直前のＭＢ及び置換する部分の直後のＭＢにイントラマクロブロックがある場合に、整合処理が必要である。
整合方法については、図５の整合方法（ＪＰＥＧのＤＣ成分）と同様であるので、説明を省略する。
【００４９】
図１４は画像コードの整合方法を示す説明図である。
図１４では、原画像がＭＰＥＧ画像であり、ＭＰＥＧの動きベクトルＭＶの整合を図る例を示している。
原画像コードを置換する部分の最後のＭＢと、その直後のＭＢが共にＭＣ（動き補償）がある場合に、整合処理が必要である。
第７ＭＢと第８ＭＢは、共にＭＣがあり、第８ＭＢの動きベクトルは、下記のようになる。
ΔＭＶ８＝ＭＶ８−ＭＶ７
また、置換後は、第７ＭＢがＩＮＴＲＡとなるため、動きベクトルは、下記のようになる。
ΔＭＶ＝ＭＶ８
【００５０】
図１５は画像コードの整合方法を示す説明図である。
図１５では、原画像がＭＰＥＧ画像であり、ＭＰＥＧの量子化ステップＱの整合を図る例を示している。
原画像コード又は局所復号画像コードを置換する部分の中に、量子化ステップＭＱＵＡＮＴ付のイントラマクロブロックがある場合に、整合処理が必要である。
量子化ステップＭＱＵＡＮＴは、イントラマクロブロックに付加することが可能であり、それ以降のＭＢは、この量子化ステップＭＱＵＡＮＴにより量子化される。
【００５１】
（ａ）原画像の置換部分に量子化ステップＭＱＵＡＮＴがある場合、第１ＭＢにＭＱＵＡＮＴ＝Ｑ１、第６ＭＢにＭＱＵＡＮＴ＝Ｑ２が定義されていて、第８ＭＢ以降は定義されていないため、ＭＱＵＡＮＴ＝Ｑ２である。
置換後、第６ＭＢのＭＱＵＡＮＴ＝Ｑ２が消えてしまい、第８ＭＢ以降は、ＭＱＵＡＮＴ＝Ｑ１となり、不整合が生じるため、置換したＭＢの後の最初のイントラマクロブロックの第１０ＭＢで、ＭＱＵＡＮＴ＝Ｑ２を付加して整合させる。
（ｂ）置換するコードに量子化ステップＭＱＵＡＮＴがある場合、第１ＭＢにＭＱＵＡＮＴ＝Ｑ１が定義されていて、それ以降はＭＱＵＡＮＴ＝Ｑ２である。
置換後、第４ＭＢで、ＭＱＵＡＮＴ＝Ｑ３を定義したため、第８ＭＢ以降は、ＭＱＵＡＮＴ＝Ｑ３となり、不整合が生じるため、置換したＭＢの後の最初のイントラマクロブロックの第１０ＭＢで、ＭＱＵＡＮＴ＝Ｑ１を付加して整合させる。
【００５２】
画像復元装置では、図９の可視透かし埋め込み装置から原画像に復元可能な可視マーク付の画像コードを入力すると、画像コード再置換部５４が、図９の画像コード置換部２２と逆の置換処理を実施して、元の画像コードに復元する。
即ち、画像コード再置換部５４は、可視マーク付き画像コードフレームメモリ５２に格納されている可視マーク付の画像コードのうち、復元用局所原画像コードに含まれている位置データが示すブロックＢ３ａ〜Ｂ７ａの可視マーク付の局所復号画像コードΔＤＣ３ａ〜ΔＤＣ７ａを、その復元用局所原画像コードに含まれている原画像コードΔＤＣ３〜ΔＤＣ７に置換するとともに、可視透かしを参照するブロックのフレーム内再符号化局所復号画像コードを原画像コードに置換する。
これにより、上記実施の形態１，２と同様の効果を奏することができる。
【００５３】
実施の形態４．
図１６はこの発明の実施の形態４による可視透かし埋め込み装置を示す構成図であり、図において、図９と同一符号は同一又は相当部分を示すので説明を省略する。
局所復号画像コード保持部２４は局所復号画像コードフレームメモリ６から読み出された可視透かし付の局所復号画像コード及びフレーム内再符号化局所復号画像コードを原画像コードのヘッダに含める処理、あるいは、可視透かし付の局所復号画像コード及びフレーム内再符号化局所復号画像コードを電子透かしとして、原画像コードに埋め込む処理を実施する。
コード分離処理部２５は画像復元装置で可視透かしを表示させる際に、局所復号画像コード保持部２４から出力されたマークデータ付の原画像コードから可視透かし付の局所復号画像コード及びフレーム内再符号化局所復号画像コードを分離して、可視透かし付の局所復号画像コード及びフレーム内再符号化局所復号画像コードを局所復号画像コードフレームメモリ６に格納するとともに、原画像コードを原画像コードフレームメモリ１に格納する処理を実施する。
なお、画像コード置換部２２、局所復号画像コード保持部２４及びコード分離処理部２５から画像コード置換手段が構成されている。
【００５４】
次に動作について説明する。
局所復号画像コード保持部２４及びコード分離処理部２５が搭載されている点以外は、上記実施の形態３と同様である。
局所復号画像コード保持部２４は、局所復号画像コードフレームメモリ６から読み出された可視透かし付の局所復号画像コード及びフレーム内再符号化局所復号画像コードを入力し、原画像コードフレームメモリ１に格納されている原画像コードを入力すると、その可視透かし付の局所復号画像コード及びフレーム内再符号化局所復号画像コードを原画像コードのヘッダに含めて、その原画像コード（マークデータ付の原画像コード）を保持する。
あるいは、その可視透かし付の局所復号画像コード及びフレーム内再符号化局所復号画像コードを電子透かしとして、原画像コードに埋め込み、その原画像コード（マークデータ付の原画像コード）を保持する。
【００５５】
局所復号画像コード保持部２４によりマークデータ付の原画像コードが保持された後は、原画像コードフレームメモリ１が原画像コードを格納している必要がないので、その原画像コードを原画像コードフレームメモリ１中から消去してもよい。また、外部から可視マークが入力される必要もない。
【００５６】
コード分離処理部２５は、可視マークを画像復元装置に表示させる際に、局所復号画像コード保持部２４からマークデータ付の原画像コードを入力し、そのマークデータ付の原画像コードから可視透かし付の局所復号画像コード及びフレーム内再符号化局所復号画像コードを分離して、可視透かし付の局所復号画像コード及びフレーム内再符号化局所復号画像コードを局所復号画像コードフレームメモリ６に格納するとともに、原画像コードを原画像コードフレームメモリ１に格納する。
以降、上記実施の形態３と同様に動作するので、復元用情報付加部１１から原画像に復元可能な可視マーク付の画像コードが画像復元装置に出力される。
【００５７】
この実施の形態４の画像復元装置は、図１７に示すように、図１６の局所復号画像コード保持部２４と同様の局所復号画像コード保持部５７を備えている。
局所復号画像コード保持部５７は、画像コード再置換部５４から出力された可視透かし付の局所復号画像コード及びフレーム内再符号化局所復号画像コードを、画像コード再整合部５５から出力された復元原画像コードのヘッダに含めて、その原画像コード（マークデータ付の原画像コード）を保持する。
あるいは、その可視透かし付の局所復号画像コード及びフレーム内再符号化局所復号画像コードを電子透かしとして、原画像コードに埋め込み、その原画像コード（マークデータ付の原画像コード）を保持する。
【００５８】
局所復号画像コード保持部５７は、可視マークを表示する際、そのマークデータ付の原画像コードから可視透かし付の局所復号画像コード及びフレーム内再符号化局所復号画像コードを分離して、可視透かし付の局所復号画像コード及びフレーム内再符号化局所復号画像コードを画像表示部５６に出力する。
一方、原画像を表示する際は、復号画像コードを画像表示部５６に出力する。
これにより、可視マークと原画像を適宜切り替えながら表示することができる効果を奏する。
【００５９】
実施の形態５．
上記実施の形態１〜４では、１つの可視マークを重畳するものについて示したが、複数の可視マークを重畳するようにしてもよい。
この場合、フレーム内符号化部５，２１が可視マーク付の局所復号画像コードを生成する際、可視マーク毎に、表示又は非表示を指示する制御情報を可視マーク付の局所復号画像コードに付加するようにする。
画像復元装置では、可視マーク付の局所復号画像コードに当該制御情報が付加されている場合、表示手段である画像表示部５６が、その制御情報にしたがって複数の可視マークの表示を独立に制御するようにする。
【００６０】
図１８はフレーム内符号化部５，２１から出力される可視マーク付の局所復号画像コードのデータ形式の一例を示す説明図である。
図１９は可視マークの表示／非表示の切り替え方法を示す説明図である。
【００６１】
複数の可視マークを表示する場合、図１８に示すように、マーク数Ｍ（重畳する可視マークの数）、マーク１の開始アドレス、マーク１の表示モード、・・・・、マークＭの開始アドレス、マークＭの表示モードをそれぞれ固定長で記録し、その後に、各マーク１〜Ｍの位置データと復元用局所原画像コード（可変長）、または、局所可視マークコード（可変長）を記録する。
可視マークの表示モードとして、非表示（表示モード＝０）と、表示（表示モード＝１）とし、表示モードが非表示の場合、画像コードは局所原画像コードであり、ヘッダ又は画像内に電子透かしとして、局所可視マークコードを保持する（図１９を参照）。
表示モードが表示の場合、画像コードは局所可視マークコードであり、ヘッダ又は画像内に電子透かしとして、復元用局所原画像コードを保持する（図１９を参照）。
これにより、複数の可視マークの表示／非表示を独立に制御することができる効果を奏する。
【図面の簡単な説明】
【００６２】
【図１】この発明の実施の形態１による可視透かし埋め込み装置を示す構成図である。
【図２】可視マークを埋め込むブロックを示す説明図である。
【図３】フレーム内符号化部５から出力される可視マーク付の局所復号画像コードのデータ形式の一例を示す説明図である。
【図４】画像コードの置換処理を示す説明図である。
【図５】画像コードの整合方法を示す説明図である。
【図６】復元用局所原画像コードのデータ形式の一例を示す説明図である。
【図７】この発明の実施の形態２による画像復元装置を示す構成図である。
【図８】画像コードの置換処理を示す説明図である。
【図９】この発明の実施の形態３による可視透かし埋め込み装置を示す構成図である。
【図１０】この発明の実施の形態３による可視電子透かし方式の実現方法を示す説明図である。
【図１１】この発明の実施の形態３による可視電子透かし方式で置換するブロックを示す説明図である。
【図１２】画像コードの整合方法を示す説明図である。
【図１３】画像コードの整合方法を示す説明図である。
【図１４】画像コードの整合方法を示す説明図である。
【図１５】画像コードの整合方法を示す説明図である。
【図１６】この発明の実施の形態４による可視透かし埋め込み装置を示す構成図である。
【図１７】この発明の実施の形態４による画像復元装置を示す構成図である。
【図１８】フレーム内符号化部５，２１から出力される可視マーク付の局所復号画像コードのデータ形式の一例を示す説明図である。
【図１９】可視マークの表示／非表示の切り替え方法を示す説明図である。
【図２０】特許文献１に開示されている動画像処理装置を示す構成図である。
【符号の説明】
【００６３】
１  原画像コードフレームメモリ、２  画像コード抽出部（局所復号手段）、３  局所復号器（局所復号手段）、４  重畳器（符号化手段）、５  フレーム内符号化部（符号化手段）、６  局所復号画像コードフレームメモリ、７  画像コード置換部（画像コード置換手段）、８  画像コード整合部（画像コード整合手段）、９  可視マーク付き画像コードフレームメモリ、１０  復元用局所原画像コードフレームメモリ、１１  復元用情報付加部（復元用情報付加手段）、２１  フレーム内符号化部（符号化手段）、２２  画像コード置換部（画像コード置換手段）、２３  画像コード整合部（画像コード整合手段）、２４  局所復号画像コード保持部（画像コード置換手段）、２５  コード分離処理部（画像コード置換手段）、５１  復元用情報検出部（検出手段）、５２  可視マーク付き画像コードフレームメモリ、５３  復元用局所原画像コードフレームメモリ、５４  画像コード再置換部（画像コード再置換手段）、５５  画像コード再整合部（画像コード再整合手段）、５６  画像表示部（表示手段）、５７  局所復号画像コード保持部、１０１  画像取得部、１０２  ＤＣＴ／逆ＤＣＴ演算部、１０３  透かし埋め込み／除去演算部、１０４  量子化／逆量子化演算部、１０５  動画データ入出力部、１０６  画像出力部。
【図１】
2010118936.tif 000003
【図２】
2010118936.tif 000004
【図３】
2010118936.tif 000005
【図４】
2010118936.tif 000006
【図５】
2010118936.tif 000007
【図６】
2010118936.tif 000008
【図７】
2010118936.tif 000009
【図８】
2010118936.tif 000010
【図９】
2010118936.tif 000011
【図１０】
2010118936.tif 000012
【図１１】
2010118936.tif 000013
【図１２】
2010118936.tif 000014
【図１３】
2010118936.tif 000015
【図１４】
2010118936.tif 000016
【図１５】
2010118936.tif 000017
【図１６】
2010118936.tif 000018
【図１７】
2010118936.tif 000019
【図１８】
2010118936.tif 000020
【図１９】
2010118936.tif 000021
【図２０】
2010118936.tif 000022